(57)【要約】【課題】遊技機側方から解錠する不正行為を未然に防止可能な施錠装置を提供する。【解決手段】第１枠部材２に揺動開閉可能に支持され施錠装置により閉鎖施錠される第２枠部材５を備えた遊技機において、後方に延びる側板部及び側板部と繋がって左右方向に延びる受け部１０３を有して第２枠部材の背面側に突設された受け金具１００と、前後に延びるアーム部６２及び鉤状のフック部６３を有してフック部６３が受け部１０３とかみ合い係合した施錠位置に付勢保持されるフック部材６０と、鍵を用いた解錠操作に応じてフック部材６０を受け金具１００から離隔させ第２枠部材５を開放可能とする解錠機構とを備え、受け金具１００に閉鎖姿勢においてフック部材６０の外側に位置しアーム部６２に沿って後方に延びるアーム保護壁１０４を形成して施錠装置を構成する。【選択図】図１
2009131455.tif 000002
【特許請求の範囲】
【請求項１】
第１枠部材と、前記第１枠部材の一方の側部に前方に揺動開閉可能に支持されるとともに、他方の側部に設けられた施錠装置により前記第１枠部材の前方に閉鎖施錠される第２枠部材とを備え、遊技施設の設置枠台に取り付けられた状態で前記第１枠部材及び前記第２枠部材が前記設置枠台から前方に張り出して配設され遊技に供される遊技機において、
前記施錠装置は、
後方に延びる側板部及び前記側板部と繋がって左右方向に延びる受け部を有し、前記第２枠部材の背面側に後方に突出して設けられた受け金具と、
前後に延びるアーム部及び前記アーム部の前端に設けられた鉤状のフック部を有して前記第１枠部材に上下方向に変位可能に設けられ、前記第２枠部材を前記第１枠部材に閉止した閉鎖姿勢において、前記第１枠部材から前方に突出する前記フック部が前記受け部とかみ合い係合した施錠位置に付勢保持されるフック部材と、
鍵を用いた解錠操作に応じて前記施錠位置にある前記フック部材を前記受け金具から離隔させ前記第２枠部材を開放可能とする解錠機構とからなり、
前記受け金具に、前記閉鎖姿勢において前記フック部材よりも前記他方の側部側に位置し、前記アーム部に沿って前記受け部よりも後方に延びるアーム保護壁を形成したことを特徴とする遊技機の施錠装置。
【請求項２】
前記アーム保護壁が、前記アーム部の側方を覆って形成されることを特徴とする請求項１に記載の遊技機の施錠装置。
【請求項３】
前記第２枠部材の背面側に、前記閉鎖姿勢において前記フック部材よりも前記他方の側部側に位置し、前記フック部に沿って後方に延びるフック保護壁を形成したことを特徴とする請求項１または請求項２に記載の遊技機の施錠装置。
【請求項４】
前記フック保護壁が、前記フック部の側方を覆って形成されることを特徴とする請求項３に記載の遊技機の施錠装置。
【請求項５】
前記アーム保護壁及び前記フック保護壁を、前記受け金具に一体に形成したことを特徴とする請求項３または請求項４に記載の遊技機の施錠装置。
【発明の詳細な説明】
【技術分野】
【０００１】
本発明は、第１枠部材の前方に揺動開閉可能に支持され常には閉鎖施錠される第２枠部材を備え、第１枠部材及び第２枠部材が設置枠台から前方に張り出した状態で遊技に供される遊技機の施錠装置に関する。
【背景技術】
【０００２】
上記のような第１、第２の枠部材及び施錠装置を備えた遊技機として、パチンコ機やアレンジボール機、スロットマシンなどの遊技機がある。パチンコ機では、遊技施設の設置枠台（「遊技島」ないし「島」と称される）に固定されて固定保持枠をなす外枠に、遊技盤を収容保持する前枠が互いの左側部に設けられた前枠ヒンジ機構を利用して外枠前方に横開き開閉可能に支持され、前枠の前面上部に遊技盤を透視させるガラス枠（「ガラス扉」とも称される）が互いの左側部に設けられたガラス枠ヒンジ機構を利用して前枠前方に横開き開閉可能に支持される。
【０００３】
前枠と外枠とは、互いの右側部に設けられたダブル錠と称される施錠装置を用いて相互に係合連結された閉止状態に保持され、ガラス枠は上記ダブル錠を用いて前枠の前面を覆う閉止状態に保持されて遊技に供される。このダブル錠と称される施錠装置は、遊技機前方から所定の鍵を用いて解錠操作を行った場合に前枠またはガラス枠を開放できるように構成されており、遊技施設の係員が鍵を鍵穴に差し込んで一方に回動させると前枠と外枠とを係合連結していたフック部材が受け金具から離隔して前枠が解錠され、他方に回動させるとガラス枠と前枠とを係合連結していたフック部材が受け金具から離隔してガラス枠が解錠されるようになっている（例えば、特許文献１を参照）。
【０００４】
【特許文献１】特開２００２−１５９７１１号公報
【発明の開示】
【発明が解決しようとする課題】
【０００５】
このように、遊技機では前枠やガラス枠を開放する際に、施錠装置に合致した鍵が必要であり、遊技者が自由に開閉できないようになっている。ところが、ガラス枠または前枠を開放して不正行為を行おうとする者が、熱可塑性の樹脂材料により成型されたガラス枠や前枠に、はんだごてやヒートカッタ、ドリル等を用いて孔をあけ、解錠操作に応じて操作力をフック部材に伝達する杆部材を棒状の工具等により昇降させてフック部材を解錠方向に移動させ、ガラス枠等を開く手荒な不正行為が行われるようになっている。特に、近年では、遊技機正面から発見しにくい枠部材の側面、すなわち、設置枠台から前方に突出して配設される部分に側方から孔をあけ、棒状の工具等を挿入してフック部材を解錠方向に移動させる不正行為が見られるようになっており、このような不正行為による被害を防止することが喫緊の課題となっていた。
【０００６】
本発明は、このような課題に鑑みて成されたものであり、簡明且つ低廉な構成で、遊技機側方から解錠するような不正行為を未然に防止可能な遊技機の施錠装置を提供することを目的とする。
【課題を解決するための手段】
【０００７】
上記目的達成のため、本発明は、第１枠部材（例えば、実施形態における前枠２）と、第１枠部材の一方の側部に前方に揺動開閉可能に支持されるとともに、他方の側部に設けられた施錠装置により第１枠部材の前方に閉鎖施錠される第２枠部材（例えば、実施形態におけるガラス枠５）とを備え、遊技施設の設置枠台に取り付けられた状態で第１枠部材及び第２枠部材が設置枠台から前方に張り出して配設され遊技に供される遊技機（例えば、実施形態におけるパチンコ機ＰＭ）に関する。そのうで、この遊技機の施錠装置は、後方に延びる側板部及び側板部と繋がって左右方向に延びる受け部を有し第２枠部材の背面側に後方に突出して設けられた受け金具（例えば、実施形態における第２受け金具１００，２００，３００）と、前後に延びるアーム部及びアーム部の前端に設けられた鉤状のフック部を有して第１枠部材に上下方向に変位可能に設けられ第２枠部材を第１枠部材に閉止した閉鎖姿勢において第１枠部材から前方に突出するフック部が受け部とかみ合い係合した施錠位置に付勢保持されるフック部材（例えば、実施形態における第２フック部材６０）と、鍵を用いた解錠操作に応じて施錠位置にあるフック部材を受け金具から離隔させ第２枠部材を開放可能とする解錠機構（例えば、実施形態におけるカム盤を備えた錠４５）とからなり、受け金具に、閉鎖姿勢においてフック部材よりも他方の側部側（例えば、実施形態における正面視右側）に位置し、アーム部に沿って受け部よりも後方に延びるアーム保護壁（例えば、実施形態におけるアーム保護壁１０４、保護壁２０２，３０２）を形成して構成される。アーム保護壁はアーム部の側方を覆うように形成することが好ましい。
【０００８】
本発明において、前記第２枠部材の背面側に、閉鎖姿勢においてフック部材よりも他方の側部側に位置し、フック部に沿って後方に延びるフック保護壁を形成することが好ましく、このフック保護壁はフック部の側方を覆うように形成することが好ましい。
【０００９】
また、上記アーム保護壁及びフック保護壁を、受け金具に一体に形成することが好ましい。
【発明の効果】
【００１０】
本発明の施錠装置では、第２枠部材を第１枠部材に閉止した閉鎖姿勢において、フック部材よりも他方の側部側（すなわち外側）に位置し、アーム部に沿って受け部よりも後方に延びるアーム保護壁が受け金具に形成されている。このため、アーム部の外側に位置する第１枠部材または第２枠部材に側方から孔をあけて工具等を挿入しても、アーム保護壁に阻害されてアーム部を上方または下方の解錠方向に移動させることができない。従って、このような不正行為を未然に防止可能な施錠装置を提供することができる。また、アーム保護壁を受け金具に形成する構成により、例えば受け部の先端側を後方に曲折した簡明且つ低廉な構成で上記効果を発揮させることができる。また、アーム保護壁がアーム部の側方を覆って形成されるような構成によれば、挿入した工具等がアーム保護壁にぶつかってアーム部に触れることができず、不正行為防止効果を高めることができる。
【００１１】
本発明において、前記第２枠部材の背面側に、閉鎖姿勢においてフック部材よりも外側に位置し、フック部に沿って後方に延びるフック保護壁を形成した構成によれば、フック部の外側に位置する第１枠部材または第２枠部材に側方から孔をあけて工具等を挿入しても、フック保護壁に阻害されてフック部を上方または下方の解錠方向に移動させることができない。従って、不正行為に対する効力をより高めた施錠装置を提供することができる。また、フック保護壁がフック部の側方を覆って形成されるような構成によれば、挿入した工具等がフック保護壁にぶつかってフック部に触れることができず、不正行為防止効果をさらに高めることができる。
【００１２】
なお、アーム保護壁及びフック保護壁を、受け金具に一体に形成した構成によれば、受け金具のみを変更する極めて簡明且つ低廉な構成で、不正行為防止効果が高い施錠装置を提供することができる。
【発明を実施するための最良の形態】
【００１３】
以下、本発明の好ましい実施形態について図面を参照して説明する。本発明に係る施錠装置を適用した遊技機の一例として、図２〜図４の各図に、それぞれパチンコ機ＰＭの正面図、右側面図、及び背面図を示しており、まずこれらの各図を参照してパチンコ機ＰＭの概要構成について説明する。
【００１４】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側に配設されたヒンジ機構３ａ，３ｂに支持されて前方に横開き開閉及び着脱が可能に取り付けられ、正面右側に設けられた施錠装置４を利用して外枠１と係合された閉鎖状態に保持される。
【００１５】
前枠２の前面側上部には、前枠２の前面域に合わせた方形状で中央部に複層ガラスが装着されたガラス枠５が正面左側に設けられたヒンジ機構７ａ，７ｂにより前方に横開き開閉および着脱が可能に支持され、正面右側に設けられた施錠装置４により前枠２の前面を覆う閉鎖状態に保持される。ガラス枠５の背後には遊技盤１０を立設姿勢で収容する収容枠が前枠２と一体に成型されており、この収容枠に遊技盤１０が着脱可能に収容保持され、常には閉鎖保持されるガラス枠５の複層ガラスを通して前面の遊技領域を臨ませている。
【００１６】
図２では遊技盤１０の記載を省略するが、遊技盤１０の前面には上下のレール飾りに囲まれて略円形の遊技領域が区画形成され、この遊技領域に多数本の遊技釘とともに風車や各種入賞具、遊技の進行状況に応じて所定の画像が表示される画像表示装置などの遊技構成部品が取り付けられ、遊技領域の下端部に入賞具に入賞せずに落下した遊技球を遊技盤１０の裏面側に排出させるアウト口が設けられている。
【００１７】
前枠２の下部領域には、球皿ユニット６が正面左側に設けられたヒンジ機構７ｂ，７ｃにより前方に横開き開閉および着脱が可能に支持されるとともに、正面右側に設けられた球皿施錠装置を利用して前枠２の前面を覆う閉鎖状態に保持される。球皿ユニット６に覆われた前枠２の下部領域には遊技補助盤と称される補助機構部が形成されており、この遊技補助盤に、遊技領域に遊技球を発射する遊技球発射装置やファール玉回収通路などが設けられている。前枠２の前面下部には、遊技球の発射操作を行う発射ハンドル８が取り付けられている。
【００１８】
前枠２の裏側に、裏セット盤２０が着脱可能に取り付けられている。裏セット盤２０には遊技球を貯留する球貯留タンク２１、球貯留タンクの下側にゆるい傾斜姿勢で取り付けられたタンクレール２２、タンクレール２２により前後各１列の整列状態で導かれた遊技球を遊技盤１０における入賞状態に基づいて払い出す球払出装置２３、球払出装置２３から払い出された遊技球を球皿ユニット６の球皿に導く払出通路などの賞球機構が設けられるとともに、裏面側に電源基板３１や払出制御基板３２、主制御基板３３、画像制御基板３５などの各種回路基板が取り付けられ、これらの回路基板とパチンコ機各部の電気・電子部品がワイヤーハーネスで接続されて遊技可能に構成される。
【００１９】
パチンコ機ＰＭは、図３に遊技施設の設置枠台（遊技島）に固定された状態を二点鎖線で略示するように、外枠１が設置枠台ＢＦの枠内に収容された状態で固定設置され、前枠２の外周縁部から、ガラス枠５、球皿ユニット６などが設置枠台ＢＦから前方に張り出して配設される。そして、ガラス枠５や球皿ユニット６等が閉鎖施錠された状態で遊技に供される。
【００２０】
以上のように概要構成されるパチンコ機にあって、施錠装置４は、ダブル錠と称される施錠装置であり、パチンコ機ＰＭの前面側に露出する鍵穴に合致する鍵を差し込んで、一方向、例えば、本実施形態に示す施錠装置では、鍵を時計廻りに回動させると、前枠２と外枠１の係合連結が解除されて前枠２を前方に開放可能になり、鍵を反対方向の反時計廻りに回動させると、ガラス枠５と前枠２との係合連結が解除されてガラス枠５が前枠２の前方に開放されるようになっている。
【００２１】
この施錠装置４をパチンコ機ＰＭの正面方向から見たときの正面図を図５に示し、左側方から見た側面図を図６、右側方から見た側面図を図７に示す。
【００２２】
施錠装置４は、前枠２の正面視における右側部裏面側に固定されたベースフレーム４０と、後方に突出する上向き鉤状のフック部を有しベースフレーム４０に上下に揺動可能に枢結された上下一対の第１フック部材５０、前方に突出する下向き鉤状のフック部を有しベースフレーム４０に上下に揺動可能に枢結された上下一対の第２フック部材６０、ベースフレーム４０から前方に突出し図２に示すように前枠２の前面下部に鍵穴部４５ａが露出配設される錠４５、ベースフレーム４０に上下方向に昇降移動可能に支持されて錠４５に対する解錠操作に応じた操作力を第１フック部材５０または第２フック部材６０に伝達する昇降作動杆７０などから構成される。
【００２３】
ベースフレーム４０は、平断面視クランク状に曲折されて前後方向の幅が狭く上下に細長い杆状をなし、前方壁面４１に施錠装置４を前枠２に取り付けるための位置決め穴やネジ挿通孔が形成され、側方のベース壁４２に各フック部材や昇降杆等の施錠装置構成部材を支持固定するリベット孔や切り起こし構造などが形成される。ベースフレーム４０は、例えば、板厚1.6mm程度の鋼板を打ち抜き及びプレス成形し、所要の表面処理を施して図示形状に形成される。前方壁面４１に形成された位置決め穴を前枠背面に突設された位置決めボスに嵌合させて、ネジ等の図示せぬ固定手段により固定される。ベースフレーム４０の下端部には、外枠１の下部内側に設けられた支持台座１ｂ（図１２を参照）に乗り上げ支持されるスライドブロック４７が固定配設されており、外枠１に対して前枠２を閉鎖したときに前枠が水平な基準姿勢で保持されるようになっている。
【００２４】
第１フック部材５０は、施錠装置上部の正面図及び左側面図を図８及び図９に示すように、ボディ部５１とこのボディ部５１から後方に延びる第１アーム部５２、第１アーム部５２の後端側に形成された上向き鉤状の第１フック部５３、ボディ部前端側の一部が左方（図６及び図９における紙面前方）に曲げ起こされて形成された従動係合片５４などから構成される。第１フック部材５０は、ボディ部５１の中央が枢結ピン５５によりベース壁４２に枢結されて後方の第１フック部５３および前方の従動係合片５４が上下に揺動自在に配設され、枢結ピン５５を軸としてベース壁４２とボディ部５１との間に掛け渡された捩りバネ（不図示）の付勢力により、常には第１アーム部５２が水平となる基準角度位置に保持される。第１フック部材５０は、ベースフレーム４０と同様に鋼板を板金加工して形成される。
【００２５】
第２フック部材６０は、ボディ部６１と、ボディ部６１から前方に延びる第２アーム部６２、第２アーム部６２の前端側に曲げ成形された下向き鉤状の第２フック部６３、ボディ部後端側の一部が左方に曲げ起こされて形成された従動係合片６４などから構成される。第２フック部材６０は、ボディ部６１の中央が枢結ピン６５によりベース壁４２に枢結されて前方の第２フック部６３および後方の従動係合片６４が上下に揺動自在に配設され、枢結ピン６５を軸としてベース壁４２とボディ部６１との間に掛け渡された捩りバネ６６（図１４を参照）の付勢力により、常には第２アーム部６２が水平となる基準角度位置に保持される。第２フック部材６０も第１フック部材５０と同様の板金加工により形成される。
【００２６】
昇降作動杆７０は、ベースフレーム４０よりも幾分短めで上下に延びる帯板状に形成される。昇降作動杆７０には、上下３か所に上下に延びる長孔形態のスライド孔７６が孔あけされてその周縁がエンボス成型されており、このスライド孔を通して平頭リベット状のスライド支柱７５をベース壁面にカシメ固着させることにより、昇降作動杆７０が上下に移動自在に取り付けられる。昇降作動杆７０には、前方縁部が一部右方（図６及び図９における紙面後方）に曲げ起こされて第１フック部材５０の従動係合片５４と係脱可能な第１駆動係合片７１、昇降作動杆７０における後端側の縁部が一部右方（図６及び図８における紙面後方）に曲げ起こされて第２フック部材６０の従動係合片６４と係脱可能な第２駆動係合片７２が、各フック部材に対応して２か所ずつ形成されている。
【００２７】
昇降作動杆７０の下部には、錠４５の後端部に固定されたカム盤４６の２か所のカム突起４６ａ，４６ｂと係脱可能に係合して、鍵による回動操作を上下方向に変換する第１突起係合孔７３ａ及び第２突起係合孔７３ｂが設けられ、昇降作動杆７０の上下中間部には、昇降ばね７４のばね力を昇降作動杆７０に伝達するスライドフック機構７７が設けられている。
【００２８】
ここで、錠４５は一般に「ダブル錠」と称される解錠操作型の錠であり、解錠操作が行われていない状態において錠４５の回動軸が中立角度位置に付勢保持される。錠４５に適合する鍵が前枠前面に露出する錠４５の鍵穴部４５ａに嵌挿されると、錠４５の回動軸が回動可能な状態に設定され、鍵を時計廻りまたは反時計回りに回動操作することが可能になる。図６中のＸ矢視方向に見た錠４５の背面図を図１０に示すように、回動軸の後端にカム盤４６が固定されている。カム盤４６には、回動軸から側方（背面視における右方）に突出する舌片状の第１カム突起４６ａ及び第２カム突起４６ｂが形成されており、第１カム突起４６ａが昇降作動杆７０の第１突起係合孔７３ａの孔内に突出して孔上端面と係脱可能に配設され、第２カム突起４６ｂが昇降作動杆７０の第２突起係合孔７３ｂの孔内に突出して孔下端面と係脱可能に配設される。
【００２９】
また、スライドフック機構７７は、昇降作動杆７０に上下に細長く開口形成されたスライド溝７７ａと、このスライド溝７７ａに対向してそれぞれ溝の外方に摺動自在に支持された上下一対のスライドフック７７ｂ、上下のスライドフック間に掛け渡された引っ張りばね形態の昇降ばね７４、ベース壁４２に切り起こし成形されて上下のスライドフック７７ｂ，７７ｂが近接する方向への移動をそれぞれ規制するフック移動規制部４２ｂ，４２ｂなどから構成される。このスライドフック機構７７では、上下のスライドフック７７ｂ，７７ｂが昇降ばねのばね力により相互に近接する方向に引き込まれるが、各スライドフックが各々フック移動規制部４２ｂ，４２ｂに係合して移動が規制される。すなわち、上下一対のスライドフック７７ｂ，７７ｂがフック移動規制部４２ｂ，４２ｂを上下外側から挟み込むように係合し、これにより昇降作動杆７０が各図に示す基準の高さ位置に保持される。
【００３０】
この状態において、錠４５が鍵により正面視時計廻りに回動されると、これに伴って回動されるカム盤４６の第１カム突起４６ａが第１突起係合孔７３ａの孔上端面と係合して昇降作動杆７０を上方に押圧し、昇降作動杆７０を上方にスライド移動させる。昇降作動杆７０が上動すると、上動する上下の第１駆動係合片７１，７１が、それぞれ上下の第１フック部材５０の各従動係合片５４と係合して従動係合片５４を上動させ、これにより上下の第１フック部材５０が枢結ピン５５を中心に回動されて、後方の第１フック部５３が下方（図６及び図９において反時計回り）に揺動される。
【００３１】
このとき、スライドフック機構７７における上方のスライドフック７７ｂは、昇降作動杆７０とともに上方に移動する一方、下方のスライドフック７７ｂは下側のフック移動規制部４２に係合した状態で移動することができず、上動するスライド溝７７ａを相対的に下方に移動する。そのため、昇降ばね７４が引き伸ばされて昇降作動杆７０に下向きの付勢力が作用し、第１フック部材５０を基準角度位置方向に付勢する捩りバネとともに昇降作動杆７０を基準高さ位置に戻す方向に作用する。従って、鍵による回動操作力を弱めると、昇降作動杆７０が下動して基準高さ位置に復帰し、上下の第１フック部材５０は角捩りバネの付勢力により基準角度位置に復帰する。
【００３２】
錠４５が正面視反時計回りに回動されると、今度はカム盤４６の第２カム突起４６ｂが第２突起係合孔７３ｂの孔下端面と係合して昇降作動杆７０を下方に押圧し、昇降作動杆７０を下方にスライド移動させる。昇降作動杆７０が下動すると、下動する上下の第２駆動係合片７２，７２が、それぞれ上下の第２フック部材６０の各従動係合片６４と係合して従動係合片６４を下動させ、これにより上下の第２フック部材６０が枢結ピン６５を中心に回動されて、前方の第２フック部６３が上方（図６及び図９において反時計回り）に揺動される。
【００３３】
このとき、スライドフック機構７７における下方のスライドフック７７ｂは、昇降作動杆７０とともに下方に移動する一方、上方のスライドフック７７ｂは上側のフック移動規制部４２に係合した状態で移動することができず、下動するスライド溝７７ａを相対的に上方に移動する。そのため、昇降ばね７４が引き伸ばされて昇降作動杆７０に上向きの付勢力が作用し、第２フック部材６０を基準角度位置方向に付勢する捩りバネとともに昇降作動杆７０を基準高さ位置に戻す方向に作用する。従って、鍵による回動操作力を弱めると、昇降作動杆７０が上動して基準高さ位置に復帰し、上下の第２フック部材６０は各捩りバネの付勢力により基準角度位置に復帰する。
【００３４】
このように構成される施錠装置４が、前枠２の右側部の裏面側に位置決めされてネジ固定される。施錠装置４が前枠２の裏面側に固定されると、図７中に施錠装置が取り付けられる領域の前枠２の概形を二点鎖線で付記するように、上下の第１フック部材５０は、第１アーム部５２及び第１フック部５３が前枠２の後方に突出して配設される。また、施錠装置４が前枠２に取り付けられた状態で第２フック部材６０を斜め前方から見た斜視図を図１１に示すように、上下の第２フック部材６０は、前枠２に形成されたフック挿通孔２ａを通って前枠２の前面側に導出され、第２アーム部６２及び第２フック部６３が前枠２の前面側に露出して配設される。
【００３５】
外枠１における右枠杆１Ｒの内壁には、ヒンジ機構３ａ，３ｂに支持された前枠２を外枠１に閉鎖したときの上下の第１フック部材５０との整合位置に、図１２に外枠下部の斜視図を示すように、第１フック部５３と係脱可能な第１受け金具９０が枠部内方に突出して取り付けられている。第１受け金具９０は、右枠杆１Ｒの内壁面に固定された台座部９１と、この台座部９１から内方に突出する舌片状の受け板部９３を有して構成され、前枠２を閉鎖方向に揺動させたときに、上向き鉤状に形成された第１フック部５３の傾斜端面５３ａが受け板部９３の下端角部に当接し、前枠２を完全に閉止したときに、傾斜端面５３ａの上端部と繋がって鉛直下方に延びる係止端面５３ｂが受け板部９３の後面よりもわずかに後方となる整合位置に固定配設されている。
【００３６】
そのため、第１フック部５３の傾斜端面５３ａが受け板部９３の下端角部に当接した状態で前枠２を後方に押圧して閉鎖方向に揺動させると、傾斜端面５３ａの作用により第１フック部５３が下方に押圧されて捩りバネを撓ませながら枢結ピン５５の軸廻りに下方に揺動退避し、傾斜端面５３ａの上端部が受け板部９３を通過したときに捩りバネの付勢力により基準角度位置方向に自己復帰する。これにより、係止端面５３ｂが受け板部９３の後面と係合してフック部材５０と受け板部材９０とが連結され、前枠２が外枠１に閉鎖保持される。
【００３７】
一方、前枠２の前面側にヒンジ機構７ａ，７ｂを介して揺動開閉可能に支持されたガラス枠５には、ガラス枠５を前枠２に閉鎖したときの上下の第２フック部材６０との整合位置に、第２フック部６３と係脱可能な第２受け金具１００が設けられている。この第２受け金具１００をガラス枠５の背面側から見た外観斜視図を図１３に示し、第２フック部材６０と第２受け金具２００との係合連結状態を示す右側面図を図１、ガラス枠５が前枠２に閉鎖保持された状態の平断面図を図１４に示す。
【００３８】
第２受け金具１００は、ガラス枠５の背面を覆って取り付けられた鋼板製のガードプレート１１０に固設された台板部１０１と、この台板部１０１の扉内方部（左端側）が直角に折り曲げられて後方に延びる立設辺部１０２、立設辺部１０２の後部が扉外方（右方）に直角に折り曲げられて台板部１０１と平行に延びる受け板部１０３、受け板部１０３の先端が直角に折り曲げられて後方に突出するアーム保護壁１０４などからなり、全体として平面視クランク状に構成される。第２受け金具１００は、第１、第２フック部材５０，６０と同様の鋼板を板金加工して形成され、ネジ、リベット、溶接等の固定手段によりガードプレート１１０に固設される。ガードプレート１１０には、台板部１０１を前後に貫通して後方に突出し、ガードプレート１１０と受け板部１０３とを繋ぐ保護支柱１１５が上記同様の手段により固定されている。なお、保護支柱１１５は台板部１０１と受け板部１０３とを繋ぐように構成してもよい。
【００３９】
第２受け金具１００は、ガラス枠５を閉鎖方向に揺動させたときに、下向き鉤状に形成された第２フック部６３の傾斜辺６３ａが受け板部１０３の上端角部に当接し、ガラス枠５を完全に閉止したときに、傾斜辺６３ａの下端部と第２アーム部６２とを繋いで鉛直上方に延びる係止端面６３ｂが受け板部１０３の前面よりもわずかに前方となる整合位置に固定されている。
【００４０】
そのため、第２フック部６３の傾斜面６３ａが受け板部１０３の上端角部に当接した状態でガラス枠５を後方に押圧して閉鎖方向に揺動させると、傾斜面６３ａの作用により第２フック部６３が上方に押圧されて捩りバネ６６を撓ませながら枢結ピン６５の軸廻りに上方に揺動退避し、傾斜面６３ａの下端部が受け板部１０３を通過したときに捩りバネ６６の付勢力により基準角度位置方向に自己復帰する。これにより、係止端面６３ｂが受け板部１０３の背面と係合してフック部材６０と第２受け金具１００とが連結され、ガラス枠５が前枠２に閉鎖保持される。一方、この閉鎖保持状態において錠４５に鍵を差し込んで反時計廻りに回動すると、既述したように第２フック部６３が枢結ピン６５を中心に上方に揺動退避して第２フック部材６０と第２受け金具との連結が解除され、ガラス枠５が前枠２の前方に開放可能な状態になる。
【００４１】
第２受け金具１００は、上記のようにガラス枠５が完全に閉止され係止端面６３ｂが受け板部１０３の背面と係合した閉鎖姿勢において、アーム保護壁１０４の前端面１０４ｆが施錠装置の前方壁面４１の前面に近接して配設され、工具等を挿入する隙間が生じないように構成されている。また、受け金具１００では、アーム保護壁１０４が第２アーム部６２の右側方、すなわち第２アーム部６２よりも外側に位置して第２アーム部６２の下縁に沿って後方及び下方に延びており、第２アーム部６２の右側方からアーム部の下側に工具等を挿入できないようになっている。
【００４２】
このため、例えば、前枠２の右側面にドリルやはんだごてなどを用いて孔をあけ、ドライバー等の工具を挿入しても、その工具の先端部がアーム保護壁１０４に当接して第２アーム部６２の下側に侵入させることができない（図１４を参照）。従って、前後水平に延びて配設されることから、本来的には工具を掛止して解錠方向（上方）に移動させやすい（不正解錠行為の対象になりやすい）第２アーム部６２に工具を掛止することができず、これにより、かかる不正解錠行為を効果的に抑制することができる。
【００４３】
また、図１４に示すように、ガラス枠５の背面に取り付けられたガードプレート１１０の右側縁部が後方に曲折されてガラス扉５の右側壁の内面に沿って後方に延び、第２フック部６３の側方全体を覆うフック保護壁１１３が形成されている。このため、ガラス枠５の右側面にドリルやはんだごてなどを用いて孔をあけ、ドライバー等の工具を挿入しようとしても、工具の先端部がフック保護壁１１３に当接して第２フック部６３に到達することができない。従って、比較的工具が滑りやすい傾斜辺６３ａに対しても工具を掛止することができず、不正解錠行為を抑止することができる。なお、ガラス枠５の閉鎖姿勢において、第２フック部６３の下側に保護支柱１１５が位置しており、たとえ前枠２の右側面に孔をあけて斜め前方に工具等を挿入できたとしても、保護支柱１１５に阻害されてフック部材６０を解錠方向に移動できないようになっている。
【００４４】
従って、以上説明した施錠装置４によれば、主として遊技施設の設置枠台ＢＦから前方に張り出して配設される第２受け金具１００について、受け板部１０３の先端側を後方に屈曲させる簡明且つ低廉な構成で、パチンコ機ＰＭの側方から孔をあけて解錠するような強引な不正行為を未然に防止することができる。
【００４５】
なお、本実施形態に例示した第２受け金具１００において、アーム保護壁１０４を受け板部１０３の上端面よりも高く形成することにより、アーム部６３の下側に斜め上方から工具を挿入するような不正行為に対する防止効果を高めることができ、第２アーム部６２の右側方全体を覆う高さまで延出した構成によれば、アーム部６３へのアプローチを遮断して不正行為防止効果をさらに高めることができる。また、本実施形態では、フック保護壁１１３をガードプレート１１０に形成した構成例を示したが、台座部１０１の右端側を後方に直角に折り曲げて、同様のフック保護壁を第２受け金具１００に形成してもよい。このような構成によれば、アーム保護壁及びフック保護壁が受け金具１００に一体的に形成されるため、ガラス枠５の背面に取り付けられる受け金具のみを変更する極めて簡明且つ低廉な構成で、不正行為防止効果が高い施錠装置を提供することができる。
【００４６】
次に、本発明に係る第２実施形態の施錠装置４´について説明する。この施錠装置４´は、ガラス枠５の背面に取り付けられる第２受け金具の構成のみが前述した第１実施形態の施錠装置４と異なり、他の構成要素はパチンコ機ＰＭの全体構成を含み同一である。そこで、以降では同様部分に同一番号を付して重複説明を省略し、第２実施形態の第２受け金具２００について詳細に説明する。図１３及び図１に対応して、第２受け金具２００をガラス枠５の背面側から見た外観斜視図を図１５に示し、第２フック部材６０と第２受け金具２００との係合連結状態の右側面図を図１６に示す。
【００４７】
第２受け金具２００は、ガードプレート１１０に固設された台板部２０１と、この台板部２０１の扉内方部（左端側）が直角に折り曲げられて後方に延びる保護壁２０２、保護壁２０２の中央部が直角に切り起こされて台板部２０１（ガードプレート１１０）と平行に扉内方（左方）に延びる受け板部２０３などから構成される。第２受け金具２００は、前述した受け金具１００と同様に鋼板を板金加工して形成され、同様の固定手段によりガードプレート１１０に固設される。ガードプレート１１０には、ガードプレート１１０と受け板部２０３とを繋ぐ保護支柱１１５が固定されている。
【００４８】
第２受け金具２００は、ガラス枠５を閉鎖方向に揺動させたときに、第２フック部６３の傾斜辺６３ａが受け板部２０３の上端角部に当接し、ガラス枠５を完全に閉止したときに、係止端面６３ｂが受け板部２０３の前面よりもわずかに前方となる整合位置、すなわち前述した受け板部１０３と同一位置に固定されている。従って、第２フック部６３の傾斜面６３ａが受け板部２０３の上端角部に当接した状態でガラス枠５を後方に押圧して閉鎖方向に揺動させると、傾斜面６３ａの作用により第２フック部６３が上方に押圧されて捩りバネ６６を撓ませながら枢結ピン６５の軸廻りに上方に揺動退避し、傾斜面６３ａの下端部が受け板部２０３を通過したときに捩りバネ６６の付勢力により基準角度位置方向に自己復帰する。これにより、係止端面６３ｂが受け板部２０３の背面と係合してフック部材６０と第２受け金具２００とが連結され、ガラス枠５が前枠２に閉鎖保持される。また、ガラス枠５の閉鎖保持状態において錠４５に鍵を差し込んで反時計廻りに回動すると、第２フック部６３が枢結ピン６５を中心に上方に揺動退避して第２フック部材６０と第２受け金具との連結が解除され、ガラス枠５が前枠２の前方に開放可能な状態に設定される。
【００４９】
第２受け金具２００では、上記のようにガラス枠５が完全に閉止され係止端面６３ｂが受け板部２０３の背面と係合した閉鎖姿勢において、保護壁２０２の前端面２０２ｆが前方壁面４１の前面に近接して配設され、第１実施形態の第２受け金具１００におけるアーム保護壁の前端面１０４ｆと同様に、工具等を挿入する隙間が生じないように構成されている（図１４を参照）。また、本実施形態の第２受け金具２００では、保護壁２０２が第２アーム部材６０の右側方、すなわち第２アーム部材６０よりも外側に位置し、第２アーム部６２の側方全体及び第２フック部６３の上部側方を覆うように形成されており、右側方からアーム部６２を直視できないようになっている。
【００５０】
このため、前枠２の右側面にドリルやはんだごてなどを用いて孔をあけ、ドライバー等の工具を挿入しても、その工具の先端部が保護壁２０２に当接して第２アーム部６２に到達することができない。従って、不正解錠行為の対象になりやすい第２アーム部６２に工具を掛止することができず、これにより、不正解錠行為を効果的に抑制することができる。
【００５１】
また、ガードプレート１１０の右側縁部には前述同様のフック保護壁１１３が形成されており、ガラス枠５の右側面に孔をあけてドライバー等の工具を挿入しようとしても、工具の先端部がフック保護壁１１３に当接して第２フック部６３に到達することができない。従って、第２フック部６３に対しても工具を掛止することができず、不正解錠行為を抑止することができる。なお、第２フック部６３の下側に保護支柱１１５が位置しており、たとえ斜め下方から工具等を挿入できたとしても、保護支柱１１５に阻害されてフック部材６０を解錠方向に移動することができないようになっている。
【００５２】
従って、以上説明した第２実施形態の施錠装置４´においても、第２受け金具２００の板金構成を変更する簡明且つ低廉な構成で、パチンコ機ＰＭの側方から孔をあけて解錠するような強引な不正行為を効果的に防止することができる。
【００５３】
次に、本発明に係る第３実施形態の施錠装置４″について説明する。この施錠装置４″は、上記施錠装置４´と同様に第２受け金具の構成のみが第１実施形態の施錠装置４と異なり、他の構成要素はパチンコ機ＰＭの全体構成を含み同一である。そこで、同様部分に同一番号を付して重複説明を省略し、第３実施形態の第２受け金具３００について詳細に説明する。本実施形態の第２受け金具３００をガラス枠５の背面側から見た外観斜視図を図１７に示し、第２フック部材６０と第２受け金具３００との係合連結状態の右側面図を図１８に示す。
【００５４】
第２受け金具３００は、ガードプレート１１０に固設された台板部３０１と、この台板部３０１の扉内方部（左端側）が直角に折り曲げられて後方に延びる保護壁３０２、保護壁３０２の下部が扉内方（左方）に直角に折り曲げられて台板部３０１（ガードプレート１１０）と平行に延びる受け板部３０３などから構成される。第２受け金具３００は、既述した受け金具１００，２００と同様に鋼板を板金加工して形成され、同様の固定手段によりガードプレート１１０に固設される。
【００５５】
第２受け金具３００は、ガラス枠５を閉鎖方向に揺動させたときに、第２フック部６３の傾斜辺６３ａが受け板部３０３の上端角部に当接し、ガラス枠５を完全に閉止したときに、係止端面６３ｂが受け板部３０３の前面よりもわずかに前方となる整合位置、すなわち既述した受け板部１０３，２０３と同一位置に固定されている。そのため、第２フック部６３の傾斜面６３ａが受け板部３０３の上端角部に当接した状態でガラス枠５を後方に押圧して閉鎖方向に揺動させると、傾斜面６３ａの作用により第２フック部６３が上方に押圧されて捩りバネ６６を撓ませながら枢結ピン６５の軸廻りに上方に揺動退避し、傾斜面６３ａの下端部が受け板部３０３を通過したときに捩りバネ６６の付勢力により基準角度位置方向に自己復帰する。これにより、係止端面６３ｂが受け板部３０３の背面と係合してフック部材６０と第２受け金具３００とが連結され、ガラス枠５が前枠２に閉鎖保持される。また、ガラス枠５の閉鎖保持状態において錠４５に鍵を差し込んで反時計廻りに回動すると、第２フック部６３が枢結ピン６５を中心に上方に揺動退避して第２フック部材６０と第２受け金具との連結が解除され、ガラス枠５が前枠２の前方に開放可能な状態に設定される。
【００５６】
第２受け金具３００では、上記のようにガラス枠５が完全に閉止され係止端面６３ｂが受け板部３０３の背面と係合した閉鎖姿勢において、保護壁３０２の前端面３０２ｆが前方壁面４１の前面に近接して配設され、第１実施形態の第２受け金具１００におけるアーム保護壁の前端面１０４ｆと同様に、工具等を挿入する隙間が生じないように構成されている（図１４を参照）。また、第２受け金具３００では、保護壁３０２が第２フック部材０３の右側方、すなわち第２フック部材６０よりも外側に位置し、第２アーム部６２及び第２フック部６３の両方の側方を覆うように形成されており、右側方から第２フック部材６０を直視できないようになっている。
【００５７】
このため、前枠２の右側面にドリルやはんだごてなどを用いて孔をあけ、ドライバー等の工具を挿入しても、その工具の先端部が保護壁３０２に当接して第２アーム部６２にも第２フック部６３にも到達することができない。従って、第２フック部材６０を解錠方向に移動させることができず、これにより、不正解錠行為を効果的に抑止することができる。
【００５８】
さらに、ガードプレート１１０の右側縁部にフック保護壁１１３が形成されており、ガラス枠５の右側面に孔をあけてドライバー等の工具を挿入しようとしても、工具の先端部がフック保護壁１１３に当接して第２フック部材６０に到達することができない。すなわち、二重の保護壁１１３，３０２によって第２フック部材６０近傍への工具等の侵入が遮断される。また本構成によれば、第２フック部６３を保護するために保護支柱１１５を設ける必要がない。
【００５９】
従って、以上説明した第３実施形態の施錠装置４″によれば、第２受け金具３００の板金構成を変更する極めて簡明且つ低廉な構成で、パチンコ機ＰＭの側方から孔をあけて解錠するような強引な不正行為を効果的に防止することができる。
【００６０】
なお、以上説明した実施形態では、本発明に係る施錠装置をガラス枠５に適用した構成を例示したが、本発明は、フック部材と受け金具との係合部位が設置枠台から前方に張り出して配設されるような遊技機であれば、他の枠部材、例えば球皿ユニットや前枠、スロットマシンにおけるフロントマスク等についても同様に適用することができる。また、実施形態では、フック部が下向き鉤状で受け金具がフックアームの下面を支持する形態の場合の構成例を示したが、フック部が上向き鉤状の形態（フック部材と受け金具の上下の位置関係が逆の形態）についても同様に適用し同様の効果を得ることができ、フック部材と受け金具の前後の位置関係が逆の形態であってもよい。
【図面の簡単な説明】
【００６１】
【図１】第１実施形態の施錠装置における第２フック部材と第２受け金具との係合連結状態を示す右側面図である。
【図２】本発明を適用した遊技機の一例として示すパチンコ機ＰＭの正面図である。
【図３】上記パチンコ機の右側面図である。
【図４】上記パチンコ機の背面図である。
【図５】上記パチンコ機の正面方向から見た施錠装置の正面図である。
【図６】上記施錠装置の左側面図である。
【図７】上記施錠装置の右側面図である。
【図８】上記施錠装置の上部を拡大して示す図５の部分拡大図である。
【図９】上記施錠装置の上部を拡大して示す図６の部分拡大図である。
【図１０】図６中に付記するＸ矢視方向に見た錠の背面図である。
【図１１】上記施錠装置が前枠に取り付けられた状態において第２フック部材を斜め前方から見た斜視図である。
【図１２】外枠下部を斜め前方から見た斜視図である。
【図１３】第１実施形態の施錠装置における第２受け金具をガラス枠の背面側から見た外観斜視図である。
【図１４】第１実施形態の施錠装置における第２フック部材と第２受け金具との係合連結状態を示す平断面図である。
【図１５】第２実施形態の施錠装置における第２受け金具をガラス枠の背面側から見た外観斜視図である。
【図１６】第２実施形態の施錠装置における第２フック部材と第２受け金具との係合連結状態を示す平断面図である。
【図１７】第３実施形態の施錠装置における第２受け金具をガラス枠の背面側から見た外観斜視図である。
【図１８】第３実施形態の施錠装置における第２フック部材と第２受け金具との係合連結状態を示す平断面図である。
【符号の説明】
【００６２】
ＰＭ  パチンコ機（遊技機）
ＢＦ  設置枠台
１  外枠
２  前枠（第１枠部材）
４，４´，４″  施錠装置
５  ガラス枠（第２枠部材）
７ａ，７ｂ，７ｃ  ヒンジ機構
４５  錠（解錠機構）
６０  第２フック部材（フック部材）
６２  第２アーム部（アーム部）
６３  第２フック部（フック部）
１００  第２受け金具（第１実施形態の受け金具）
１０３  受け板部
１０４  アーム保護壁
１１３  フック保護壁
２００  第２受け金具（第２実施形態の受け金具）
２０２  保護壁（アーム保護壁、フック保護壁）
２０３  受け板部
３００  第２受け金具（第３実施形態の受け金具）
３０２  保護壁（アーム保護壁、フック保護壁）
３０３  受け板部
【図１】
2009131455.tif 000003
【図２】
2009131455.tif 000004
【図３】
2009131455.tif 000005
【図４】
2009131455.tif 000006
【図５】
2009131455.tif 000007
【図６】
2009131455.tif 000008
【図７】
2009131455.tif 000009
【図８】
2009131455.tif 000010
【図９】
2009131455.tif 000011
【図１０】
2009131455.tif 000012
【図１１】
2009131455.tif 000013
【図１２】
2009131455.tif 000014
【図１３】
2009131455.tif 000015
【図１４】
2009131455.tif 000016
【図１５】
2009131455.tif 000017
【図１６】
2009131455.tif 000018
【図１７】
2009131455.tif 000019
【図１８】
2009131455.tif 000020